(57)【要約】ＥＰＧ機能を有する放送受信機およびリモコンと、これを用いる方法およびサービスシステムが開示される。プログラム受信機は、有線または無線方式の放送信号を受信し、放送プログラム情報を抽出する。信号処理装置は、プログラム受信機による放送プログラム情報の抽出を制御し、抽出された放送プログラム情報を復号し、これをメモリに貯蔵するように制御する。入出力ユニットは、放送プログラム情報を入力及び出力し、放送チャンネル選択用制御信号を信号処理装置に、ユーザー操作に応じて出力し、公衆放送チャンネル、衛星放送チャンネル及び有線または無線のケーブルＴＶ放送チャンネルの少なくとも一つを含む放送プログラム情報を受信し、これを貯蔵して、この貯蔵された情報に基づく放送チャンネルを選択する。これにより、ユーザーはＴＶを接続したり非接続とするチャンネルを選択できる。
2004502354.tif 000002
【特許請求の範囲】
【請求項１】
放送チャンネル選択のための情報を貯蔵するメモリ部と、
使用者の操作によって放送チャンネル変更のための信号を出力する信号送出部と、
有無線方式で受信される放送プログラム情報を受信し、受信された放送プログラム情報を抽出するプログラム受信部と、
前記プログラム受信部の放送プログラム情報抽出動作を制御し、前記受信された放送プログラム情報を復号して前記メモリ部への貯蔵を制御する信号処理部と、使用者の操作によって放送プログラム信号の入出力と放送チャンネル選択のための制御信号を前記信号処理部に出力する入／出力部と、
を含み、
一つ以上の空中波放送チャンネル、一つ以上の衛星放送チャンネル、一つ以上のケーブルテレビ放送チャンネルのうちの少なくとも一つ以上の放送チャンネルを含む放送プログラム情報を有無線方式によってダウンロードして貯蔵し、前記貯蔵された情報に基づいて放送チャンネルを選択するＥＰＧリモコン。
【請求項２】
前記ダウンロードされる放送プログラム情報は、個人の好みに合う放送プログラム情報または個人の好みと無関係な放送プログラム情報のうちのいずれか一つであることを特徴とする請求項１に記載のＥＰＧリモコン。
【請求項３】
前記ダウンロード要請は、前記ＥＰＧリモコン操作によることを特徴とする請求項２に記載のＥＰＧリモコン。
【請求項４】
有線方式を利用した放送プログラム情報のダウンロードは、衛星放送やデジタル空中波放送受信が可能なセットトップボックス、ＶＴＲ、インターネット連結が可能なパソコン、デジタルテレビのうちのいずれか一つを利用してダウンロードすることを特徴とする請求項１に記載のＥＰＧリモコン。
【請求項５】
前記セットトップボックス、ＶＴＲ、パソコン、デジタルテレビを利用してダウンロードした放送プログラム情報を前記ＥＰＧリモコンへ伝送する方式は、ＩｒＤＡ、ブルートース、有線方式のうちのいずれか一つであることを特徴とする請求項４に記載のＥＰＧリモコン。
【請求項６】
前記ＥＰＧリモコンから出力されるチャンネル選択信号の方式は、ＩｒＤＡ、ブルートース、有線方式のうちのいずれか一つであることを特徴とする請求項４に記載のＥＰＧリモコン。
【請求項７】
無線方式を利用した放送プログラム情報のダウンロードは、ページャー、ＦＭ  ＤＡＲＣ、移動通信端末装置、ＰＤＡ端末装置のうちのいずれか一つを利用してダウンロードすることを特徴とする請求項１に記載のＥＰＧリモコン。
【請求項８】
前記ＥＰＧリモコンから出力されるチャンネル選択信号の方式は、ＩｒＤＡ、ブルートース、有線方式のうちのいずれか一つであることを特徴とする請求項７に記載のＥＰＧリモコン。
【請求項９】
前記ＥＰＧリモコンは、ページャー、ＦＭ  ＤＡＲＣ、移動通信端末装置、ＰＤＡ端末装置のうちのいずれか一つに一体された統合リモコン方式を利用することを特徴とする請求項１に記載のＥＰＧリモコン。
【請求項１０】
前記ＥＰＧリモコンは、パソコンを通じたインターネット放送モニタリング機能を有することを特徴とする請求項１に記載のＥＰＧリモコン。
【請求項１１】
前記ＥＰＧリモコンは、放送チャンネルのディスプレイ画面上に仮想リモコン方式で出力されて放送ポータルサイトのサービス形式として実現可能であることを特徴とする請求項１に記載のＥＰＧリモコン。
【請求項１２】
（ａ）一つ以上の空中波放送チャンネル、一つ以上の衛星放送チャンネル、一つ以上のケーブルテレビ放送チャンネルのうちの少なくとも一つ以上の放送チャンネルを含むプログラムから興味のある放送プログラムの種類を指定してチャンネル選択のためのプログラム情報を要請するステップと、
（ｂ）前記指定されたプログラム種類を含む情報を利用してチャンネル選択情報をダウンロードし、前記ダウンロードされたチャンネル選択情報に基づいてチャンネルを選択するステップと、
を含むＥＰＧリモコンを利用したＥＰＧサービス方法。
【請求項１３】
前記ステップ（ａ）のチャンネル選択のためのプログラム情報を要請する時、使用者の好みに応じて一つ以上の広告情報または一つ以上のショッピング情報のうちの少なくともある一つ以上を挿入するステップをさらに含むことを特徴とする請求項１２に記載のＥＰＧリモコンを利用したＥＰＧサービス方法。
【請求項１４】
前記ステップ（ｂ）は、
（ｂ−１）現在使用者が予約したプログラムの開始時刻と現在時刻が同一であるかどうかをチェックし、同一の場合には画面に現在開始するプログラム名とチャンネルを表示するステップと、
（ｂ−２）前記ステップ（ｂ−１）で開始時刻と現在時刻が相異している場合、無線呼び出し信号またはボタン入力信号の受信の有無をチェックするステップと、
（ｂ−３）前記ステップ（ｂ−２）で無線呼び出し信号が受信される場合には前記無線呼び出し信号内に含まれたアドレス番号と記憶されたアドレス番号との一致の有無をチェックして、一致する場合には無線呼び出し信号内に含まれたプログラム情報を新たな情報として貯蔵した後、前記ステップ（ｂ−１）にフィードバックするステップと、
（ｂ−４）前記ステップ（ｂ−２）でボタン入力信号が入力される場合には使用者選択キーであるか、チャンネル選択キー入力であるか、照会キーであるかをチェックするステップと、
（ｂ−５）前記ステップ（ｂ−４）で使用者選択キー信号が入力される場合には登録された一つ以上の使用者をディスプレイし、ある一つの使用者が選択されることによって現在の使用者を選択された使用者に変換してメモリに貯蔵した後、前記ステップ（ｂ−１）にフィードバックするステップと、
（ｂ−６）前記ステップ（ｂ−４）でチャンネル選択キー信号が入力される場合には現在使用者が望むプログラムのうち現在視聴中であるチャンネルの次または以前のチャンネル番号を放送プログラムディスプレイセットに送信し、変更されたチャンネルを貯蔵した後、前記ステップ（ｂ−１）にフィードバックするステップと、
（ｂ−７）前記ステップ（ｂ−４）で照会キー信号が入力される場合には一つ以上のチャンネル別関心プログラム及び時間を表示し、ある一つのプログラムが選択されることによって選択されたプログラム選択信号を送信し、変更されたチャンネルを貯蔵した後、前記ステップ（ｂ−１）にフィードバックするステップと、
（ｂ−８）前記ステップ（ｂ−４）で前記照会キーが未入力の場合には前記ステップ（ｂ−１）にフィードバックするステップと、
を含むことを特徴とする請求項１２に記載のＥＰＧリモコンを利用したＥＰＧサービス方法。
【請求項１５】
前記ステップ（ｂ）は、
（ｂ−１）現在使用者が予約したプログラムの開始時刻と現在時刻が同一であるかどうかをチェックして、同一の場合には画面に現在開始するプログラム名とチャンネルを表示するステップと、
（ｂ−２）前記ステップ（ｂ−１）で開始時刻と現在時刻が相異した場合、無線呼び出し信号またはボタン入力信号の受信の有無をチェックするステップと、
（ｂ−３）前記ステップ（ｂ−２）で無線呼び出し信号が受信される場合には前記無線呼び出し信号内に含まれたアドレス番号と記憶されたアドレス番号との一致の有無をチェックし、一致する場合には無線呼び出し信号内に含まれたプログラム情報を新たな情報として貯蔵した後、前記ステップ（ｂ−１）にフィードバックするステップと、
（ｂ−４）前記ステップ（ｂ−２）でボタン入力信号が入力される場合には使用者選択キーであるか、チャンネル選択キー入力であるか、照会キーであるか、登録キーであるかをチェックするステップと、
（ｂ−５）前記ステップ（ｂ−４）で使用者選択キー信号が入力される場合には登録された一つ以上の使用者をディスプレイし、ある一つの使用者が選択されることによって現在の使用者を選択された使用者に変換してメモリに貯蔵した後、前記ステップ（ｂ−１）にフィードバックするステップと、
（ｂ−６）前記ステップ（ｂ−４）でチャンネル選択キー信号が入力される場合には現在使用者が望むプログラムのうちの現在視聴中のチャンネルの次、または以前のチャンネル番号を放送プログラムディスプレイセットに送信し、変更されたチャンネルを貯蔵した後、前記ステップ（ｂ−１）にフィードバックするステップと、
（ｂ−７）前記ステップ（ｂ−４）で照会キー信号が入力される場合には一つ以上のチャンネル別関心プログラム及び時間を表示し、ある一つのプログラムが選択されることによって選択されたプログラム選択信号を送信して変更されたチャンネルを貯蔵した後、前記ステップ（ｂ−１）にフィードバックするステップと、
（ｂ−８）前記ステップ（ｂ−４）で登録キーが入力される場合には新規使用者キー入力であるか、使用者情報修正キーであるか、使用者削除キーであるかをチェックするステップと、
（ｂ−９）前記ステップ（ｂ−８）で新規使用者キー入力である場合には新たな使用者を登録し、関心分野、関心プログラム、予約を含む情報を登録した後、使用者情報を貯蔵し、前記使用者情報とプログラム情報を比較して使用者情報に合うプログラムを選択して貯蔵した後、前記ステップ（ｂ−１）にフィードバックするステップと、
（ｂ−１０）前記ステップ（ｂ−８）で使用者情報修正キー入力である場合には関心分野、関心プログラム、予約を含む情報を修正した後貯蔵し、前記使用者情報とプログラム情報を比較して使用者情報に合うプログラムを選択して貯蔵した後、前記ステップ（ｂ−１）にフィードバックするステップと、
（ｂ−１１）前記ステップ（ｂ−８）で使用者削除キー入力である場合には該当使用者及び使用者情報を削除した後、前記ステップ（ｂ−１）にフィードバックするステップと、
（ｂ−１２）前記ステップ（ｂ−４）で前記登録キーが未入力の場合には前記ステップ（ｂ−１）にフィードバックするステップと、
を含むことを特徴とする請求項１２に記載のＥＰＧリモコンを利用したＥＰＧサービス方法。
【請求項１６】
一つ以上の空中波放送チャンネル、一つ以上の衛星放送チャンネル、一つ以上のケーブルテレビ放送チャンネルのうちの少なくとも一つ以上の放送チャンネルを含むプログラム編成情報及び紹介資料を貯蔵するＥＰＧ情報提供部と、
ＥＰＧリモコン番号と自分のＩＤ、放送プログラムの関心分野を含む個人情報の入力及び所望の放送プログラム種類を指定してチャンネル選択情報を前記ＥＰＧ情報提供部に要請し、その応答情報を無線通信ネットワークまたはインターネットバックボーン・ネットワーク経由で提供を受けてダウンロードし、ダウンロードされたチャンネル選択情報に基づいてプログラムのチャンネルを操作するＥＰＧリモコンと、
を含むＥＰＧリモコンを利用したＥＰＧサービスシステム。
【請求項１７】
前記ＥＰＧ情報提供部が運営する所定のＥＰＧサービスホームページに接続してＥＰＧリモコン番号と自分のＩＤ、放送プログラムの関心分野を含む個人情報の入力及び所望の放送プログラムの種類を指定してチャンネル選択情報を前記ＥＰＧ情報提供部に要請する使用者パソコンをさらに含むことを特徴とする請求項１６に記載のＥＰＧリモコンを利用したＥＰＧサービスシステム。
【請求項１８】
前記ダウンロードされる放送プログラム情報は個人の好みに合うプログラム情報または個人の好みと無関係なプログラム情報のうちのいずれか一つであることを特徴とする請求項１６に記載のＥＰＧリモコンを利用したＥＰＧサービスシステム。
【請求項１９】
一つ以上の空中波テレビ放送チャンネル、一つ以上の衛星放送チャンネル、一つ以上のケーブルテレビ放送チャンネルのうちの少なくとも一つ以上のチャンネルを含む放送信号からテレビ視聴のための放送信号とチャンネル設定のための放送プログラム情報を分離して出力する放送信号受信部と、
使用者の操作に応答して前記テレビ視聴のための放送信号からオーディオ及びビデオを分離して出力するテレビ信号処理部と、
一つ以上の使用者好みによるプログラム情報を貯蔵するメモリ部と、
前記放送信号受信部の放送プログラム情報抽出動作を制御して前記放送プログラム情報を復号し、復号されたプログラム情報の前記メモリ部への貯蔵を制御し、使用者によってチャンネル設定要請がある場合に前記貯蔵されたプログラム情報に基づいて放送チャンネルを選択して出力する信号処理部と、
を含む電子プログラムガイド機能を有する放送受信セット。
【請求項２０】
前記放送受信セットは、使用者のキー操作によって放送プログラム信号の入出力と放送チャンネル選択のための制御信号を前記信号処理部に出力するリモコン受信部をさらに含むことを特徴とする請求項１９に記載の電子プログラムガイド機能を有する放送受信セット。
【請求項２１】
前記信号処理部は、前記リモコン受信部を経由して入力されるキー操作を認識して特定使用者をチェックし、前記メモリ部に既に設定されている特定使用者別に適応するプログラム情報の抽出を要請する制御信号を出力することを特徴とする請求項２０に記載の電子プログラムガイド機能を有する放送受信セット。
【請求項２２】
無線連結されたコンピュータシステムまたは移動通信端末装置から放送プログラム信号の入出力と放送チャンネル選択のための制御信号を前記信号処理部に出力する無線データ通信インターフェースをさらに含むことを特徴とする請求項１９に記載の電子プログラムガイド機能を有する放送受信セット。
【請求項２３】
有線連結されたコンピュータシステムから放送プログラム信号の入出力と放送チャンネル選択のための制御信号を前記信号処理部に出力するＵＳＢ制御部をさらに含むことを特徴とする請求項１９に記載の電子プログラムガイド機能を有する放送受信セット。
【請求項２４】
前記放送信号受信部は、前記空中波放送信号から放送プログラム情報を抽出し、抽出された放送プログラム情報を前記信号処理部に提供するＥＰＧ情報抽出処理部を含むことを特徴とする請求項１９に記載の電子プログラムガイド機能を有する放送受信セット。
【請求項２５】
放送プログラム情報抽出のための所定の周波数レベルを設定し、設定された周波数レベルを前記ＥＰＧ情報抽出処理部に出力する周波数調節部をさらに含むことを特徴とする請求項２３に記載の電子プログラムガイド機能を有する放送受信セット。
【請求項２６】
前記放送受信セットは、予約プログラム放送の一定時間前に画面を通じて警告し、同一画面で予約されたチャンネルへの切換え機能を遂行するＯＳＤ発生部をさらに含むことを特徴とする請求項１９に記載の電子プログラムガイド機能を有する放送受信セット。
【発明の詳細な説明】
【０００１】
【発明の属する技術分野】
本発明は、電子プログラムガイド（Ｅｌｅｃｔｒｏｎｉｃ Ｐｒｏｇｒａｍ Ｇｕｉｄｅ、以下、ＥＰＧ）機能を有するリモコン及び放送受信セットとこれを利用したサービスシステム及びその方法に関し、より詳しくは、視聴可能なチャンネル数の多い多チャンネル環境でプログラムに対する情報を使用して使用者が自身の好みに合う放送だけを選択的に視聴できるようにする電子プログラムガイド機能を有するリモコン及び放送受信セットとこれを利用したサービスシステム及びその方法に関するものである。
【０００２】
【従来の技術】
一般に、ＥＰＧは独立したチャンネルまたはキャリアなどを利用してプログラム案内情報を提供する概念として、米国やヨーロッパなどの多チャンネル放送国家では昔から施行されてきた。韓国も１９９６年キャリアを利用した方法（ＫＢＰＳ）によりＫＢＳで施行したことがあるが、このようなＫＢＰＳ方式は案内機能が内蔵されたテレビに受像機を変えなければ案内情報を受信することができないという問題点がある。
【０００３】
現在テレビを通じて視聴可能な放送を放送方式と関連させて分類してみれば、まず放送信号がアナログ信号であるかデジタル信号であるかによって大きく分けることができるが、アナログ放送は今後デジタル放送に転換されると予測される。つまり、ＫＢＳやＥＢＳ等の放送会社がムグンハ衛星を通じてデジタル放送を試験サービス中であり、まもなく地上波デジタル放送が試験放送を経て本放送でサービスされる予定であり、今後チャンネル数が２００個以上に多くなる。
【０００４】
また、現在テレビを通じて視聴可能な放送を伝達媒体と関連させて分類してみれば、衛星放送、ケーブル放送及び地上波放送などに分けることができる。
【０００５】
ケーブル放送の場合は放送の内容を特定して約４０余個のチャンネルを通じてサービスしているが、サービス種類によってチャンネル数も非常に多くなり得る。衛星放送の場合は現在確保可能な衛星の数が多くないために視聴可能な衛星放送の数は多くないが、衛星放送は国家によって自国を知らせるための手段として活用されるので、視聴可能な衛星放送の数もさらに増える。
【０００６】
このような多チャンネル環境への移転によって視聴可能なチャンネルの数が多くなって、チャンネルで視聴可能な放送情報を視聴者に一層効率的に提供する必要性がある。現在放送情報は新聞などの媒体による案内、専門チャンネルによるプログラム案内またはインターネット放送と関連があるインターネット上での案内などによって視聴者に伝達されているが、伝達される情報は視聴者の立場では単純プログラム情報以上の意味として活用されていない。
【０００７】
したがって、現在の方式だけでは数百個に達する放送チャンネルに対する情報が視聴者に効率的に伝えられプログラム情報以上の意味をもって使用することができないために、既存の諸方法の短所を補完してチャンネルが多くなる場合にも好む放送プログラムを使用者が容易に選択できる便利な方法及び手段が要求される実情である。
【０００８】
【発明が解決しようとする課題】
ここで、本発明の技術と課題は、このような従来の問題点を解決するためのものであって、本発明の目的は、多チャンネル環境下でも視聴者の好みに応じてテレビ及び関連機器と独立的または相互関連した方式で放送プログラムのチャンネルを便利に選択できるＥＰＧリモコンを提供することにある。
【０００９】
また、本発明の他の目的は、ＥＰＧリモコンを利用したＥＰＧサービスシステムを提供することにある。
【００１０】
また、本発明の他の目的は、ＥＰＧリモコンを利用したＥＰＧリモコンサービス方法を提供することにある。
【００１１】
また、本発明の他の目的は、多チャンネル環境下でも視聴者の好みに応じて放送プログラムのチャンネルを便利に選択できるＥＰＧ機能を有する放送受信セットを提供することにある。
【００１２】
【課題を解決するための手段】
前記した目的を実現するため、本発明にかかるＥＰＧリモコンは、放送チャンネル選択のための情報を貯蔵するメモリ部と、使用者の操作によって放送チャンネル変更のための信号を出力する信号送出部と、有無線方式で受信される放送プログラム情報を受信し、受信された放送プログラム情報を抽出するプログラム受信部と、前記プログラム受信部の放送プログラム情報抽出動作を制御し、前記受信された放送プログラム情報を復号して前記メモリ部への貯蔵を制御する信号処理部と、使用者の操作によって放送プログラム信号の入出力と放送チャンネル選択のための制御信号を前記信号処理部に出力する入／出力部とを含み、一つ以上の空中波放送チャンネル、一つ以上の衛星放送チャンネル、一つ以上のケーブルテレビ放送チャンネルのうちの少なくとも一つ以上の放送チャンネルを含む放送プログラム情報を有無線方式を通じてダウンロードして貯蔵し、前記貯蔵された情報に基づいて放送チャンネルを選択することを特徴とする。
【００１３】
また、前記した他の目的を実現するため、本発明にかかるＥＰＧリモコンを利用したサービスシステムは、一つ以上の空中波放送チャンネル、一つ以上の衛星放送チャンネル、一つ以上のケーブルテレビ放送チャンネルのうちの少なくとも一つ以上の放送チャンネルを含むプログラム編成情報及び紹介資料を貯蔵するＥＰＧ情報提供部と、ＥＰＧリモコン番号と自身のＩＤ、放送プログラムの関心分野を含む個人情報の入力及び所望の放送プログラム種類を指定してチャンネル選択情報を前記ＥＰＧ情報提供部に要請し、その応答情報を無線通信ネットワークまたはインターネットバックボーン・ネットワークを経由した提供を受けてダウンロードし、ダウンロードされたチャンネル選択情報に基づいてプログラムのチャンネルを操作するＥＰＧリモコンとを含むことを特徴とする。
【００１４】
また、前記した他の目的を実現するため、本発明にかかるＥＰＧリモコンを利用したサービス方法は、（ａ）一つ以上の空中波放送チャンネル、一つ以上の衛星放送チャンネル、一つ以上のケーブルテレビ放送チャンネルのうちの少なくとも一つ以上の放送チャンネルを含むプログラムから興味のある放送プログラムの種類を指定してチャンネル選択情報を要請するステップと、（ｂ）前記指定されたプログラム種類を含む情報を利用してチャンネル選択情報をダウンロードし、前記ダウンロードされたチャンネル選択情報に基づいてチャンネルを選択するステップとを含むことを特徴とする。
【００１５】
ここで、本発明によるＥＰＧリモコン及びこれを利用したサービスシステム及びその方法によれば、プログラム案内情報だけを単純に提供することではなく、視聴者の好みに応じてテレビ及び関連機器と独立的または相互関連した方式でチャンネルを選択することができる。
【００１６】
また、前記した他の目的を実現するため、本発明にかかる電子プログラムガイド機能を有する放送受信セットは、一つ以上の空中波テレビ放送チャンネル、一つ以上の衛星放送チャンネル、一つ以上のケーブルテレビ放送チャンネルのうちの少なくとも一つ以上のチャンネルを含む放送信号からテレビ視聴のための放送信号とチャンネル設定のための放送プログラム情報を分離して出力する放送信号受信部と、使用者の操作に応答して前記テレビ視聴のための放送信号からオーディオ及びビデオを分離して出力するテレビ信号処理部と、一つ以上の使用者の好みによるプログラム情報を貯蔵するメモリ部と、前記放送信号受信部の放送プログラム情報抽出動作を制御して前記放送プログラム情報を復号し、復号されたプログラム情報を前記メモリ部への貯蔵を制御し、使用者によってチャンネル設定の要請がある場合に前記貯蔵されたプログラム情報に基づいて放送チャンネルを選択して出力する信号処理部とを含んでなることを特徴とする。
【００１７】
この時、前記電子プログラムガイド機能を有する放送受信セットは、使用者のキー操作によって放送プログラム信号の入出力と放送チャンネル選択のための制御信号を前記信号処理部に出力するリモコン受信部をさらに含むのが好ましく、前記信号処理部は前記リモコン受信部を経由して入力されるキー操作を認識して特定使用者をチェックし、前記メモリ部に予め設定された特定使用者別に適応するプログラム情報の抽出を要請する制御信号を出力するのが好ましい。
【００１８】
一方、前記電子プログラムガイド機能を有する放送受信セットは、無線連結されたコンピュータシステムまたは移動通信端末装置から放送プログラム信号の入出力と放送チャンネル選択のための制御信号を前記信号処理部に出力する無線データ通信インターフェースをさらに含むのが好ましい。
【００１９】
また、前記電子プログラムガイド機能を有する放送受信セットは、有線連結されたコンピュータシステムから放送プログラム信号の入出力と放送チャンネル選択のための制御信号を前記信号処理部に出力するＵＳＢ制御部をさらに含むのが好ましい。
【００２０】
また、前記放送信号受信部は、前記空中波放送信号から放送プログラム情報を抽出し、抽出された放送プログラム情報を前記信号処理部に提供するＥＰＧ情報抽出処理部を含むのが好ましい。
【００２１】
また、放送プログラム情報抽出のための所定の周波数レベルを設定し、設定された周波数レベルを前記ＥＰＧ情報抽出処理部に出力する周波数調節部をさらに含むのが好ましい。
【００２２】
また、前記電子プログラムガイド機能を有する放送受信セットは、予約プログラム放送の一定の時間の前に画面を通じて警告し、同一画面で予約されたチャンネルへの切換え機能を遂行するＯＳＤ発生部をさらに含むのが好ましい。
【００２３】
このような電子プログラムガイド機能を有する放送受信セットによれば、プログラム案内情報だけを単純に提供することではなく、視聴者の好みに応じてテレビ及び関連機器と独立的または相互関連した方式でチャンネルを選択できるプログラム案内情報を提供することができる。
【００２４】
【発明の実施の形態】
以下、通常の知識を有する者が本発明を容易に実施できるように添付した図面を参照して本発明の好ましい実施例を一層詳細に説明する。以下の説明及び図面において、同一または対応する要素については同一または類似した参照番号を使用して表記する。
【００２５】
図１は、本発明の一実施例によるＥＰＧサービス提供システムを説明するための図面であって、特にＥＰＧリモコンを使用して提供されるサービスシステムを説明するための図面である。
【００２６】
図１を参照すれば、本発明によるＥＰＧリモコンを使用して提供されるサービスシステムは、インターネット事業者１０２、１０４、通信事業者１０６、放送局１１４及び使用者側装置１０８、１１０、１１２を含む。
【００２７】
ＥＰＧリモコン１１０の使用者は、インターネット事業者１０２が提供するＥＰＧサービスホームページに接続してＥＰＧリモコンの番号と自身のＩＤ、プログラムの関心分野などの個人情報を入力する１２２。
【００２８】
インターネット事業者１０２は、使用者の個人情報を貯蔵して放送局１１４から受けたプログラム情報と比較し、使用者別に使用者の関心分野に合うプログラム情報群を分類して保管する。このように分類された使用者による関心プログラムに対する情報を使用者リモコン番号によって一定時間ごとに通信事業者１０６に伝達し１２４、通信事業者は通信ネットワークを通じて各使用者らに送信する１２６。ここで、通信事業者が放送プログラム情報の提供を無線方式を通じて受ける場合には、ＰＣＳ社業者やページャー事業者などが運用するネットワークを利用して送信することができ、インターネット接続が可能なパソコンなどの有線方式を通じて提供を受ける場合には、インターネットサービス提供者（ＩＳＰ）を経由して提供を受けることができる。
【００２９】
使用者１０８は、テレビ１１２視聴中あるいは視聴前にＬＣＤ窓（場合によって省略できる）がついているＥＰＧリモコン１１０を通じて幾多のチャンネルの中で自身の好みに合うプログラム情報を見て容易にチャンネルを選択することができる１３０。
【００３０】
図１に示された概念に基づいて本発明によるＥＰＧリモコンに放送プログラム情報を伝達するためには、例えば、ページャー（Ｐａｇｅｒ）のようなシステムを使用することができる。つまり、インターネット事業者が自身のホームページを通じて入手した使用者情報と入手した放送プログラム情報をそれぞれの使用者によって分類した後、このように使用者ごとに分類された情報を各使用者のリモコン番号（ページャーを活用した場合はページャー番号）によって通信事業者に伝達し、それぞれのリモコンに各使用者別放送プログラム情報を無線で伝達できる。
【００３１】
また、前記実施例の場合、本発明が属する技術分野の当業者は無線通信ネットワークが必ずページャーネットワークである必要はなく、ＦＭ  ＤＡＲＣ方式や無線データネットワークなどを使用しても良い。特に、無線データネットワークを通じて放送プログラム情報の伝達を受ける場合、本発明の技術分野の当業者はＥＰＧリモコンが赤外線またはブルートース（ｂｌｕｅｔｏｏｔｈ）通信モジュールを備えた携帯電話またはＰＤＡのＨ／ＷまたはＳ／Ｗを変形使用して実現することができる。
【００３２】
本発明による第２実施例において、使用者登録及び使用者別の関心分野登録による関心プログラム情報の分類をＥＰＧサービスホームページでする代わりに、インターネット事業者は放送局の全てのプログラム情報を使用者に伝達し、使用者の好みに応じてリモコンで分類してチャンネルを選択することができる。このような場合、各使用者は自身が所有したＥＰＧリモコンで使用者登録及び関心分野登録による関心プログラムを入力し、ＥＰＧリモコン自体で無線通信ネットワークを通じて伝達を受けたプログラム情報に基づいて各使用者による放送プログラムを分類した後、使用者がリモコンを作動させる時に分類された放送プログラム情報に基づいてチャンネルを自動選択するように実現できる。
【００３３】
このような第２実施例の場合もやはり本発明が属する技術分野の当業者は無線通信ネットワークが必ずページャーネットワークである必要はなく、ＦＭ  ＤＡＲＣ方式や無線データネットワークなどを用いてもよい。また、無線データネットワークを使用する場合は、赤外線またはブルートース通信モジュールを備えた携帯電話またはＰＤＡを使用してＥＰＧリモコンを実現してもよい。
【００３４】
一方、有無線電話を使用した７００電話サービス形態でＥＰＧサービスを運営できる。つまり、それぞれの使用者は本発明によるＥＰＧ事業者が開設した７００有料電話サービスを通じて自身のリモコン情報及び自身が好むプログラム情報を入力するようにすることによって使用者に関する情報をＥＰＧ事業者が受付けることができ、その後は上記説明と同一または類似である。
【００３５】
他の実施例の場合、無線インターネット形態、例えば、携帯電話またはＰＤＡなどの無線端末機を通じてＥＰＧサービス事業者のインターネットサイトに接続することができる。このような場合、無線でＥＰＧ事業者のインターネットサイトに接続して自身のリモコン情報及び自身の選好プログラム情報の入力を実現できる。
【００３６】
一方、本発明によるＥＰＧリモコンは、既存のアナログ方式のテレビを交替しなくても既存のテレビ、ＶＴＲ、セットトップボックス（Ｓｅｔ−Ｔｏｐ Ｂｏｘ）リモコン方式を用いることができるという注目すべき長所を有する。
【００３７】
本発明による他の実施例として、テレビ（アナログまたはデジタルテレビ）自体、ＶＴＲ、セットトップボックス（ケーブル、衛星またはデジタルセットトップボックス）、個人コンピュータまたはホームサーバーで電波または有線ネットワークを通じて放送プログラム情報を受信し、赤外線またはブルートース（ｂｌｕｅｔｏｏｔｈ）などの無線通信を利用して放送プログラム情報をリモコンに伝達するように実現できる。
【００３８】
このような場合、前記ＥＰＧリモコンは前記第１及び第２実施例で説明した方式でやはり実現できるという点と、アナログテレビの場合放送プログラム情報もやはりＫＢＰＳ等の既存の方式通りに１次伝達されて赤外線またはブルートース方式でリモコンに２次伝達されるように実現できるという点を看過してはならない。
【００３９】
また、本発明の技術が属する分野の当業者であれば、放送プログラム情報が既存の地上波放送や衛星放送またはケーブル放送情報だけでなく、有線放送事業者が運営する放送プログラム情報であり得ることが分かるだろう。
【００４０】
このような場合、それぞれの有線放送事業者は地域別にケーブル放送サービス運営権を確保したり（総合有線放送事業者）、または地域別に難視聴などが解決できるサービス（中継有線放送事業者）と共に各有線放送事業者が個別的に選択できる選択されたチャンネルを通じて地上波放送またはその録画放送やケーブルまたは衛星放送を伝送する。このような場合、本発明の一つの実施例としてＥＰＧサービスを申請する使用者がサービス申請時に自身が視聴しようとするテレビが位置付けられる自身の住所（一実施例としてこのような情報は郵便番号などのような情報として選択することができる）及び自身が有線放送視聴者であることを既存の使用者情報と共に登録できるようにしてＥＰＧ事業者は各地域別有線放送事業者から有線放送プログラム情報の伝達を受けて（実施例によって、地上波、衛星放送またはケーブル放送プログラム情報の伝達を共に受けることができる）無線通信ネットワークを通じてＥＰＧリモコンに伝送する。このように視聴者が有線放送事業者を通じて放送を視聴する場合にも郵便番号のような住所関連情報及びＥＰＧリモコン番号を活用することによって使用者好みに応じて放送が視聴できるようにする。
【００４１】
尚、前記した種々の変形実施例の場合、図１に示された実施例に軽微な変更または追加が実施されてもよいのはもちろんである。
【００４２】
図２は、本発明の一実施例によるＥＰＧサービス提供のためのインターネットホームページの例示図である。
【００４３】
本発明の第１実施例の場合、ＥＰＧリモコンは全ての放送プログラムに対する情報が提供されるのでなく、使用者の好み、関心に合うプログラムだけを選定して放送することが目的であるので、使用者の関心分野を登録するステップがプログラムを送信する前ステップで必要であり、これを一例として図２に示す。
【００４４】
図２（ａ）に示された使用者登録画面では、ＥＰＧリモコンを通じてサービスを受けようとする使用者のＩＤや名前、パスワード、住所、連絡先、ＥＰＧリモコン（一例としてページャー）の番号、広告視聴の有無、視聴する媒体の選択などの個人情報を入力する。このような場合、ＩＤや名前は、多様な人が一つのＥＰＧリモコンを使用してプログラムに対する情報を得る時、各使用者を区別するのに利用される。パスワードは、各使用者が自身の個人情報、関心分野、関心プログラムなどＥＰＧサービスの提供を受けるためにホームページに登録する全ての情報を修正する時、他人によって変造されることを防ぐ機能をする。
【００４５】
一方、ＥＰＧリモコン番号（ページャー番号）は、通信事業者がインターネット事業者から受けた各使用者別関心放送プログラムを伝送するために利用される。この時、一つのＥＰＧリモコンを多様な使用者が使用する場合、多様な使用者の関心放送プログラム情報を送信する。
【００４６】
また、広告を視聴しようと選択した場合、関心分野と一致する広告またはショッピングプログラムに対する情報も伝達する。使用者が広告を見ようと選択した場合、たとえば個別サービス料金等で利得を提供する方式でサービスを運営することができる。放送チャンネルは、視聴者の好みに合う広告がチャンネル選択時に放送される場合、チャンネル切り替え過程で広告放送チャンネルが先に選択され、次いで使用者の好みに合うチャンネルが選択できるようにすることで使用者を広告に露出させ得る。したがって、本発明によるＥＰＧサービスの場合もやはり広告また使用者の好みに応じて選別されるようにすることで広告の狙い撃ちマーケティングが可能な長所を有し、ＥＰＧサービス事業者に伝えられた個別使用者好み情報もやはりデータ掘り起こし（Ｄａｔａ ｍｉｎｉｎｇ）によって高付加価値の情報として活用できるという長所を有する。
【００４７】
また、本発明によれば、図２（ａ）に示された入力窓を通じて住所を入力する場合、使用者の居住地域と視聴する媒体から放送局チャンネルをインターネット事業者が把握できるようにして上記に説明したように空中波または地上波、衛星放送またはケーブル放送だけでなく、有線放送事業者が運営する放送サービスに対しても使用者好みに合う放送プログラム案内サービスが実現できる。
【００４８】
また、ＥＰＧリモコンは放送プログラム案内サービスだけでなく、他の用途への使用が可能である。一例として、ＥＰＧリモコンが地域情報受信端末機形態で実現でき、このような場合、使用者の住所または郵便番号を通じてインターネット事業者は使用者の地域把握が可能であり、各使用者に合う地域情報を提供することができる。
【００４９】
次に、数百個以上のチャンネル及び各々チャンネル当り数十個のプログラム群の中から自身の好み、関心に合うプログラム群の情報だけを選択する方式は大きく２種類に分けて考えることができる。
【００５０】
その一つは、図２（ｂ）に示されるように特定プログラムを直接指定する方式で、本発明で例示した方式はＥＰＧサービスホームページで提供する検索窓でキーワードや放送時間、放送局またはこれらの組み合わせでプログラムを検索して特定プログラムを登録したり、図２（ｃ）に示されているように全てのプログラム目録が出ている特定プログラム登録画面で直接選択して登録する方法である。
【００５１】
他の方式としては、図２（ｄ）及び図２（ｅ）に示されているように使用者の好み、関心をインターネット事業者に知らせれば、インターネット事業者はこれに合うプログラム群を選んで使用者に提供する方式がある。このような方式の一例としては、インターネット事業者が提供する関心分野目録で使用者の好みに合う分野だけを選択して登録し、インターネット事業者は放送局から受けるプログラム情報群の中から使用者の関心分野と合うプログラム群を選んでこれを使用者に提供する方式でサービスを提供できる。
【００５２】
あるいは、インターネット事業者が使用者に決められた幾つかの質問をし、使用者の返事などを通じて使用者の好み、関心を分析し、これに合うプログラムを提供する方式でサービスを提供してもよい。
【００５３】
図３は、本発明のＥＰＧリモコンの一実施例である。
【００５４】
図３に示されたＥＰＧリモコンは、プログラム情報を出力するなどの機能のためのＬＣＤ窓が示されているが、必要に応じてＬＣＤ窓を省略してもよい。
【００５５】
図３を参照すれば、使用者がチャンネルを転換したり音を調節するためのキー、テレビ、ビデオ、各種セットトップボックスのｏｎ−ｏｆｆ用キー及び他機能用の別途のキーが複数装着されている。図３に示されたリモコンの前面には テレビ、ビデオ、各種セットトップボックスの制御信号を伝送するための赤外線発射部とバッテリーの量を示すＬＥＤがある。
【００５６】
必要に応じて、本発明によるＥＰＧリモコンは、図３（ｂ）及び図３（ｃ）、または図３（ｄ）及び図３（ｅ）に示されるように、本発明によるＥＰＧリモコン機能以外の既存のリモコン方式も使用したり、一層知能的なＥＰＧサービスが提供できるように蓋方式またはスライディング方式でリモコンを実現することができる。
【００５７】
このような場合、ＥＰＧリモコンに数字キーなど更に多くのキーが必要な場合、キーを２段に配列して多くのキーを狭い空間に位置付けることができ、ＥＰＧ専用キーまたは多く使用する代表的な何種かのキーをリモコン外部に置いて外部部分を回転して開いたり、下方向に水平移動させて開けば、中に数字キーなど付随的なキーが配列される形態で実現することができる。
【００５８】
他例として、図３（ｆ）に示されているように、ＬＣＤ窓を設けず、簡単にオン・オフキー、ＥＰＧモードのオン・オフキー、使用者選択キー、チャンネル切換キー、音調節キー等だけを設けた簡単な形態でＥＰＧリモコンを実現することができる。
【００５９】
次に、本発明による一実施例として、無線通信ネットワークを活用したＥＰＧリモコンのブロック構成図を図４に示す。
【００６０】
図４は、本発明の一実施例によるＥＰＧリモコンのブロック構成図である。
【００６１】
図４を参照すれば、本発明によるＥＰＧリモコンは、ＲＦ受信部４１０、信号処理部４２０、周波数調節部４３０、プログラム情報及びＣＰＵ手続き情報などを貯蔵するメモリ部４４０、放送チャンネル変更のためのＩＲ部４６０、及びその他の入力と出力に関係する入／出力部４５０〜４５６で構成される。
【００６２】
ＲＦ受信部４１０は、ＲＦ受信機４１２、中間周波数（ＩＦ）ミキサー及び増幅部４１４、及び情報抽出処理部４１６を含むことができ、信号処理部４２０は、デコーダー４２２、制御部（ＣＰＵ）４２４及びアンテナチューニング部４２６を含むことができる。そして、周波数調節部４３０は、電圧制御発振器４３２及びＰＬＬ処理部４３４を含むことができ、メモリ部４４０はロム（ＲＯＭ）４４２、ラム（ＲＡＭ）４４４、その他のメモリ４４６及びクロック（ＣＬＯＣＫ）４４８を含むことができる。また、ＩＲ部４６０は、発振部４６２、ＩＲ発光部４６４及びＩＲ変換部４６６を含むことができ、入／出力部にはスピーカー４５０、電源を印加して振動信号を出す駆動部４５２、表示部４５４及び操作スイッチ部４５６を含むように構成できる。
【００６３】
一方、本発明が属する技術分野の当業者は、図１を参照して説明したように、図４に例示された本発明によるＥＰＧリモコンをＦＭ  ＤＡＲＣ方式または無線データネットワークを通じてプログラム情報の伝達を受けるように容易に変形させ得ることが自明である。したがって、図４のページャーネットワークを活用したブロック図は、ＦＭ  ＤＡＲＣ方式の場合や赤外線またはブルートースモジュールが装着された携帯電話またはＰＤＡを使用した場合、各々に合うように適宜変形できるのでこれもやはり本発明範囲に属する。
【００６４】
次に、図５を参照して、本発明によるＥＰＧサービス運営時に無線通信ネットワークを通じて伝達できる放送プログラム情報に対する一実施例を例示的に説明する。
【００６５】
図５は、本発明の一実施例によるＥＰＧリモコンに送信される信号構成図であって、特にページング実現方式のうちの一つであるＰＯＣＳＡＧ方式信号フォーマットを活用した場合を図示したものである。尚、図５ではＰＯＣＳＡＧ方式だけを例示したが、本発明が属する技術分野の当業者がよく知っているように、ＦＬＥＸ方式などによってページング信号が実現できることは自明である。
【００６６】
図５（ａ）に示されているように、ページング信号はプリアンブルと完全なコードワード群からなる複数のバッチを含むことができ、それぞれのバッチは一つの同期コードワードで始まり得る。コードワード群は、一つの同期コードワードと８個のフレーム（各々２つのコードワードを有する）で構成できるそれぞれのバッチ内で伝送され、それぞれのコードワードは３２ビットで構成できる。
【００６７】
図５（ｂ）は、住所コードワードを示し、第１ビット（ビット１）である識別（ＩＤ）ビットは常に０に設定してメッセージコードワードと区別できる。ビット２−１９は受信機に割当された２１ビットの識別番号のうち１８個の最上位ビットと一致する住所ビットである。ビット２０、２１は、受信機に割当された８個のフレームのうちの所望のフレームを選択するために用いられる二つの機能ビットである。ビット２２−３１は、パリティ検査ビット群であり、最後のビットはパリティを与えるための選択である。
【００６８】
図５（ｃ）は、メッセージコードワードを示しており、ビット１は常に１で始まり、全メッセージは常に住所コードワードを直ちに後続するように実現することができる。メッセージコードワードは、２０個のメッセージビット（２−２１ビット）を有し、パリティ検査ビット及びパリティビットが後続するように実現できる。
【００６９】
図５（ｄ）は、データ信号がメッセージ信号である時、放送プログラム情報信号を示すための信号フォーマットを例示的に示している。このような放送プログラム情報は、一日を一定の時間間隔に分けてそれに該当する時間のプログラム情報群を一定時間ごとに送信する場合、その区分のための時間情報がメッセージ信号に含まれてもよい。
【００７０】
また、一つのＥＰＧリモコンを複数の使用者が使用する場合、各使用者を区分するＩＤあるいは名前を示す使用者情報が来て、当該使用者が選択したプログラムの情報である放送プログラムの題目、そのプログラムが放送されるチャンネル、開始時間、終了時刻、そのプログラムが属する関心分野、予約要否に対する情報などがメッセージ信号に含まれてもよい。図５（ｄ）に示された順序は必要に応じて変更されることがあり、他の情報の追加、削除もやはり可能なことは自明である。
【００７１】
図６は、本発明の一実施例によるＥＰＧリモコン内部手続を説明するためのフローチャートである。
【００７２】
図６を参照すれば、まず、通常の待機状態（ステップＳ６０２）で現在メモリに貯蔵されている、予約信号（実施例によっては予約機能が省略されることがある）が含まれたプログラムのうち現在時刻がプログラム開始時刻と一致しているかどうかをチェックし（ステップＳ６０４）、一致する場合にはＥＰＧリモコンに当該プログラムの題目などの情報を表示して警告を発する（ステップＳ６０６）。他の実施例として、自動的にテレビのチャンネルを当該プログラムが放送されるチャンネルに変わることができるように信号を送信することもできる。
【００７３】
次に、無線呼び出し信号が受信されれば無線呼び出し信号内に含まれているアドレス番号がＲＯＭ４４２内に記憶されたアドレス番号と一致しているかどうかをチェックする（ステップＳ６１０）。ステップ６１０で一致する場合には無線呼び出し信号内に含まれたプログラム情報を使用者別、そして時間情報別に区分してメモリに貯蔵されている以前の情報を消して新たな情報を貯蔵した後（ステップＳ６１２）、最初の待機状態に復帰する。ここで、一つのリモコンに使用者別に各々区分してプログラム情報を貯蔵する理由は、一つのリモコンを複数の人々が利用でき、また、それぞれの人々の好みが相異することがあるので、これに対するプログラム情報を別途に各々貯蔵して利用するためである。
【００７４】
ステップＳ６０８で無線呼び出し信号入力ではないボタン入力信号が受信される場合には、使用者選択キー入力であるか、チャンネル選択キー入力であるか、照会キー入力であるかをチェックする（ステップＳ６１４、Ｓ６２６、Ｓ６３２）。この他にこのステップで必要な他の機能キーの入力がある時は、チャンネル選択、使用者選択、照会機能に追加して他の機能を行うこともできる。
【００７５】
使用者選択キーが入力されれば、登録された複数の使用者をリモコンの画面に表示し（ステップＳ６１６）、このうちどの使用者を選定するかをチェックする（ステップＳ６２０、Ｓ６２２）。これにより現在の使用者を該当使用者に変えてこれをメモリに貯蔵した後（ステップＳ６２４）、最初の待機状態であるステップＳ６０５に復帰する。チャンネル選択キーは、チャンネル番号を増加させるキーとチャンネル番号を減少させるキーで構成することができ、チャンネル番号を増加させるキーを選択した場合、現在の使用者の関心プログラム情報を放送するチャンネルのうち現在チャンネル番号より大きな次のチャンネルを選択することができるようにチャンネル選択信号を送信する（ステップＳ６２８）。
【００７６】
反対に、チャンネル番号を減少させるキーを選択した場合、現在の使用者の関心プログラム情報を放送するチャンネルのうち現在チャンネル番号より小さい次のチャンネルを選択することができるチャンネル選択信号を送信する（ステップＳ６２８）。変更されたチャンネルをメモリに貯蔵して現在のチャンネルを記憶しておいて（ステップＳ６３０）最初の待機状態であるステップＳ６０５に復帰する。
【００７７】
一方、照会キーが入力されれば、現在の使用者の関心プログラム群の中で現在放送中であるかまだ放送していないプログラム群の情報を表示する（ステップＳ６３４）。表示されたプログラムのうち使用者が方向キーを利用して一つのプログラムを選択すれば（ステップＳ６３６）、該当プログラムが放送されている、あるいは放送されるチャンネルに変わるようにチャンネル選択信号を送信し、変更されたチャンネルをメモリに貯蔵した後（ステップＳ６３８）、最初の待機状態であるステップＳ６０５に復帰する。
【００７８】
図７は、本発明の他の実施例によるＥＰＧリモコン内部手続を説明するためのフローチャートである。
【００７９】
本発明の他の実施例の場合、全てのプログラム情報をリモコンに送信し、使用者情報及び使用者の関心分野登録による関心プログラムの選定過程がリモコンで行われるので、図６に示された一実施例とは異なって図２の過程がリモコンに含まれるように構成することができるので、図６で説明された部分についての説明は省略する。
【００８０】
図７の場合、受信された信号のアドレスが一致すれば、使用者区分なく一応メモリに貯蔵される（ステップＳ７１２）。このような実施例の場合、登録キーが入力されれば（ステップＳ７４０）、新たな使用者を入力する過程であるか（ステップＳ７４２）、既存の使用者情報を修正する過程であるか（ステップＳ７４８）、または既存の使用者の削除過程であるか（ステップＳ７５６）を判定する。新たな使用者を入力する過程であれば、新たな使用者を既存の使用者と区分してＩＤを付与または入力する（ステップＳ７４４）。
【００８１】
新たな関心分野を登録したり受信された全てのプログラム情報のうちの特定プログラムを選定し、同時に予約の要否を決定するように実現することができる（ステップＳ７４６）。また、既存の使用者が前に登録した関心分野、特定プログラム、予約の要否などを修正して登録できるように実現することができる（ステップＳ７５０）。この時、他の使用者によって任意に使用者情報が修正、削除されることを防止するために、パスワードなどの保安ステップを追加することができる。このように新しく登録されたり修正された情報はメモリに貯蔵され（ステップＳ７５２）、これに合う関心プログラムをＣＰＵ４２４で選択して分類しメモリに貯蔵した後（ステップＳ７５４）、最初の待機状態であるステップＳ７０４に復帰する。既存の使用者を削除しようとする場合、該当使用者のＩＤ及び使用者情報などをメモリから削除し（ステップＳ７５６）、最初の待機状態であるステップＳ７０４に復帰する。
【００８２】
図８は、本発明の一実施例によるＥＰＧサービス提供システムを説明するための図面である。
【００８３】
図８を参照すれば、本発明の一実施例によるＥＰＧサービス提供システムは、ＥＰＧ情報提供部１００、放送受信セット２００、リモコン３００、インターネット接続可能なコンピュータ４００、及び移動通信端末機５００を含む。
【００８４】
ＥＰＧ情報提供部１００は、一つ以上の空中波放送チャンネル、一つ以上の衛星放送チャンネル、一つ以上のケーブルテレビ放送チャンネルのうちの少なくとも一つ以上の放送チャンネルを含むプログラム編成情報及び紹介資料を貯蔵し、コンピュータ４００や移動通信端末機５００から放送プログラム情報要請がある場合に該当使用者の好みに適応するプログラム情報を出力する。
【００８５】
放送受信セット２００は、テレビ視聴用放送信号を受信して出力し、当該テレビ視聴用放送信号と共にチャンネル設定用放送プログラム情報を受信して貯蔵していて、リモコン３００を通じてチャンネル選択情報の要請がある場合にダウンロードされたチャンネル選択情報をディスプレイ出力し、使用者の操作によって特定チャンネルの選択がある場合に該当チャンネルへの切換え動作を行う。前記放送受信セットは各種テレビ装置であってもよく、テレビ装置と連係されるセットトップボックスなどであってもよい。
【００８６】
リモコン３００は、一般に放送受信セット２００に従属して使用者のキー操作によって音量設定やチャンネル設定のための制御信号を放送受信セットに提供する。この時、リモコンは一つの放送受信セットに複数個が従属して運営してもよく、一つの放送受信セットに一つが従属して運営してもよい。
【００８７】
もし、一つの放送受信セットに複数個が従属される場合には、前記制御信号を出力する時、特定リモコンの認識のための所定のコード値を共に出力するのが好ましく、一つの放送受信セットに一つのリモコンが従属する場合には、前記制御信号を出力する時、使用者に応じて別途に具備された所定のコード値を共に出力するのが好ましい。
【００８８】
インターネット接続可能なコンピュータ４００は、ＥＰＧサービスと関連するＩＤと共に、放送プログラムの関心分野を含む個人情報の入力及び所望の放送プログラム種類を指定してチャンネル選択情報をインターネットバックボーン・ネットワークを経由して前記ＥＰＧ情報提供部１００に要請し、その応答によるプログラム情報をダウンロードし、ダウンロードされた情報を放送受信セット２００に提供する。この時、ダウンロードされた情報の提供は所定の有線ラインであるＵＳＢ方式によって提供されてもよく、近距離無線データ通信の一種であるブルートース方式によって提供されてもよい。
【００８９】
移動通信端末機５００は、ＥＰＧサービスと関連するＩＤと共に、放送プログラムの関心分野を含む個人情報の入力及び所望の放送プログラム種類を指定してチャンネル選択情報を移動通信ネットワークを経由して前記ＥＰＧ情報提供部１００に要請し、その応答情報の提供を受けて放送受信セット２００に提供する。
【００９０】
以上説明したように、本発明によるＥＰＧ機能を有する放送受信セットに提供されるＥＰＧ情報は、実際に放送聴取する時に利用する放送信号に含めて提供してもよく、インターネットネットワークや移動通信ネットワークを経由して使用者のコンピュータシステムや移動通信端末機を通じてプログラム情報要請に応答して提供してもよい。
【００９１】
もちろん、該当プログラム情報は最終的には放送受信セットのメモリに貯蔵されて実時間または予約による特定使用者のチャンネル設定要請に応答して該当チャンネルへの切換えを一層容易に行うことができる。
【００９２】
以下、前記した放送受信セットの一例を図面を参照して更に詳細に説明する。
【００９３】
図９は、本発明の一実施例によるＥＰＧ機能を有する放送受信セットを説明するための図面である。
【００９４】
図８と図９を参照すれば、本発明の一実施例によるＥＰＧ機能を有する放送受信セット２００は、ＲＦ受信部８１０、テレビ信号処理部８２０、周波数調節部８３０、信号処理部８４０、リモコン受信部８５０、無線データ通信インターフェース８６０、ＵＳＢ制御部８７０、及びメモリ部８８０を含む。
【００９５】
ＲＦ受信部８１０は、チューナー８１２、ＩＦ増幅部８１４、ＥＰＧ情報抽出処理部８１６を含み、アンテナを通じて受信される空中波放送信号からテレビ放送信号とプログラム情報を分離してテレビ信号処理部８２０及び信号処理部８４０に各々出力する。
【００９６】
より詳しくは、アンテナによって空中波放送信号が受信され、信号処理部８４０の制御されるチューナー８１２により受信された放送信号が選局される。ＩＦ増幅部８１４は、大体にクロマＩＣ乃至メーンＩＣを構成するもので、チューナー８１２から出力される中間周波数信号を増幅してテレビ信号処理部８２０及びＥＰＧ情報抽出処理部８１６に出力する。
【００９７】
ＥＰＧ情報抽出処理部８１６は、信号処理部８４０の制御に基づいて空中波放送信号に含まれて送出されるプログラム情報を抽出し、信号処理部８４０に出力する。
【００９８】
テレビ信号処理部８２０は、Ｐ／Ｓ分離部８２１、音声検波部８２２、音声処理部８２３、音声増幅部８２４、映像検波部８２５、映像処理部８２６、ＯＳＤ発生部８２７、ミキサー８２８及びディスプレイ駆動部８２９から構成されて、テレビ放送視聴のためのオーディオとビデオ信号を出力する。
【００９９】
より詳しくは、Ｐ／Ｓ分離部８２１は、表面弾性波フィルターを含んでＩＦ増幅部８１４によって分離された中間周波数を音声中間周波数と映像中間周波数に各々分離し、音声検波部８２２及び映像検波部８２５に各々出力する。
【０１００】
音声検波部８２２は、音声中間周波数から音声信号を検波し、音声処理部８２３はその検波された音声信号を信号処理部８４０の制御信号によってベース（ｂａｓｅ）、トレブル（ｔｒｅｂｌｅ）、ボリューム（ｖｏｌｕｍｅ）などの音声処理を行い、音声増幅部８２４でその処理された音声信号を増幅してスピーカーに出力する。
【０１０１】
映像検波部８２５は、映像中間周波数から映像信号を検波し、映像処理部８２６でその検波された映像信号を信号処理部８４０の制御信号によってカラー（ｃｏｌｏｒ）、チント（ｔｉｎｔ）、ブライトネス（ｂｒｉｇｈｔｎｅｓｓ）などの映像処理を行って映像信号に対応するＲ、Ｇ、Ｂ及び輝度信号を出力し、ミキサー８２８で前記Ｒ、Ｇ、Ｂ及び輝度信号（Ｙ）とＯＳＤ発生部８２７で発生するＲ´、Ｇ´、Ｂ´及びＯＳＤブランキング信号（Ｙ´）をミキシング処理してディスプレイ駆動部８２９に出力することによってディスプレイ装置側にＯＳＤ発生部８２７からの所定のＯＳＤパターンデータと共に映像を表示する。
【０１０２】
周波数調節部８３０は、ＰＬＬ処理部８３２及び電圧制御発振部８３４からなり、信号処理部８４０から提供される制御信号に基づいてプログラム情報抽出のための所定の周波数レベルを設定し、設定された周波数レベルをＥＰＧ情報抽出処理部８１６に出力する。
【０１０３】
信号処理部８４０は、デコーダー８４２、Ａ／Ｄ及びＤ／Ａ変換部８４４、アンテナチューニング部８４６及び制御部８４８からなり、ＲＦ受信部８１０を通じて受信される空中波放送信号のチャンネル設定のための制御信号を出力し、前記空中波放送信号に含まれたプログラム情報の抽出動作を制御するための所定の制御信号を周波数調節部８３０に出力し、その応答によって提供されるプログラム情報をメモリ部８８０に貯蔵する。
【０１０４】
より詳しくは、制御部８４８は、リモコン受信部８５０を経由して使用者のプログラム情報設定要請がある場合に周波数調節部８３０にＥＰＧプログラム情報抽出のための命令を制御信号を出力し、その応答によって空中波放送信号に含まれたプログラム情報が抽出されてデコーダー８４２を経由して入力されることによってこれをＡ／Ｄ及びＤ／Ａ変換部８４４を通じてデジタル変換してメモリ部８８０に貯蔵する。この時、使用者によって要請されるプログラム情報は使用者の好みと連動するのが好ましい。
【０１０５】
また、制御部８４８は、リモコン受信部８５０を経由して入力される使用者の音量調節信号、チャンネル設定要請信号、プログラム情報貯蔵信号の提供を受けて該当動作を行う。
【０１０６】
また、制御部８４８は、外部のコンピュータから無線データ通信インターフェース８６０を経由して無線伝送されるプログラム情報の提供を受けて貯蔵動作を行い、外部のコンピュータなどと物理的に連結可能なＵＳＢ制御部８７０を経由して入力されるプログラム情報の提供を受けて貯蔵動作を行う。
【０１０７】
リモコン受信部８５０は、外部のリモコンから提供される赤外線信号をコードに変換して制御部８４８に出力する。この時、赤外線信号は視聴者が音量調節、チャンネル切換えなどを要請する時、そのそれぞれの動作に適応する信号である。
【０１０８】
無線データ通信インターフェース８６０は、近距離、好ましくは大略１０メートル以内の近距離で無線データ通信が可能なブルートースチップを内蔵して無線連結されたコンピュータなどから提供される所定が制御信号を制御部８４８に提供する。
【０１０９】
ＵＳＢ制御部８７０は、所定の有線ラインを通じてコンピュータなどと連結され、コンピュータから提供される所定の制御信号を制御部８４８に提供する。この時、前記制御信号は使用者の好みと連動するプログラム情報であるのが好ましい。
【０１１０】
メモリ部８８０は、ＲＯＭ８８２、ＲＡＭ８８４、その他のメモリ８８６及びクロック貯蔵部８８８からなり、使用者の好みと連動するプログラム情報の提供を受けて貯蔵する。この時、貯蔵されるプログラム情報は空中波放送信号に含まれて入力されるプログラム情報のうちの使用者の好みに適応するプログラム情報であってもよく、無線データ通信ネットワークを通じて入力される使用者好みに適応するプログラム情報であってもよい。また、コンピュータと連結された有線ラインを通じて入力される使用者好みに適応するプログラム情報であってもよい。
【０１１１】
前記では本発明の好ましい実施例を参照して説明したが、該当技術分野の熟練した当業者は上記特許請求の範囲に記載された本発明の思想及び領域から逸脱しない範囲内で本発明を多様に修正及び変更することができることを理解できると思われる。
【０１１２】
【発明の効果】
以上説明したように、本発明によれば、地上波放送、衛星放送、ケーブル放送または有線事業者が提供する放送が混在する多チャンネル環境下でもＥＰＧサービス事業者が提供する放送プログラム情報に基づいてテレビ視聴者自身の好みに合うチャンネルを便利に選択できる効果が得られる。
【０１１３】
また、本発明によれば、それぞれの視聴者好みに合う、つまり、ターゲットマーケティングが可能な形式で広告を視聴者に露出する効果を提供することができる。
【０１１４】
また、本発明によれば、実際に放送聴取する時に利用される放送信号にＥＰＧ情報を含めてＥＰＧ機能を有する放送受信セットに直接提供することもでき、インターネットネットワークや移動通信ネットワークを経由して使用者のコンピュータシステムや移動通信端末機を通じてＥＰＧ情報を提供し、提供されたＥＰＧ情報を放送受信セットに提供することができるので放送視聴者のチャンネル設定環境を多角化することができる。
【図面の簡単な説明】
【図１】
本発明の一実施例に基づくＥＰＧサービス提供システムの説明図である。
【図２】
本発明の一実施例に基づくＥＰＧ提供サービスのためのインターネットホームページの例示図である。
【図３】
本発明の一実施例に基づくＥＰＧリモコンを示す図である。
【図４】
本発明の一実施例に基づくＥＰＧリモコンのブロック構成図である。
【図５】
本発明の一実施例に基づくＥＰＧリモコンに送信される信号構成図である。
【図６】
本発明の一実施例に基づくＥＰＧリモコン内部手続を説明するフローチャートである。
【図７】
本発明の他の実施例に基づくＥＰＧリモコン内部手続を説明するフローチャートである。
【図８】
本発明の他の実施例に基づくＥＰＧサービス提供システムの説明図である。
【図９】
本発明の一実施例に基づくＥＰＧ機能を有する放送受信セットの説明図である。
【符号の説明】
１００　　　　　　ＥＰＧ情報提供部
１０２，１０４　　インターネット事業者
１０６　　　　　　通信事業者
１０８　　　　　　使用者
１１０　　　　　　ＥＰＧリモコン
１１２　　　　　　テレビ
１１４　　　　　　放送局
２００　　　　　　方送受信セット
３００　　　　　　リモコン
４００　　　　　　コンピュータ
４１０　　　　　　ＲＦ受信部
４１２　　　　　　ＲＦ受信機
４１４　　　　　　ＩＦミキサー及び増幅部
４１６　　　　　　情報抽出処理部
４２０　　　　　　信号処理部
４２２　　　　　　デコーダー
４２４　　　　　　ＣＰＵ
４２６　　　　　　アンテナチューニング部
４３０　　　　　　周波数調節部
４３２　　　　　　電圧制御発振器
４３４　　　　　　ＰＬＬ処理部
４４０　　　　　　メモリ部
４４２　　　　　　ＲＯＭ
４４６　　　　　　ＩＲ変換部
４４８　　　　　　クロック
４５０　　　　　　スピーカ
４５２　　　　　　駆動部
４５４　　　　　　表示部
４５６　　　　　　操作スイッチ部
４６２　　　　　　発振部
４６４　　　　　　ＩＲ発光部
５００　　　　　　移動通信端末機
８１０　　　　　　ＲＦ受信部
８１２　　　　　　チューナー
８１４　　　　　　ＩＦ増幅部
８１６　　　　　　ＥＰＧ情報抽出処理部
８２０　　　　　　テレビ信号処理部
８２１　　　　　　Ｐ／Ｓ分離部
８２２            音声検波部
８２３            音声処理部
８２４            音声増幅部
８２５            映像検波部
８２７            ＯＳＤ発生部
８２８            ミキサー
８２９            ディスプレイ駆動部
８３０            周波数調節部
８４０            信号処理部
８４４            Ｄ／Ａ変換部
８４６            アンテナチューニング部
８４８            制御部
８５０            リモコン受信部
８６０            無線データ通信インタフェース
８７０            ＵＳＢ制御部
８８０            メモリ部
８８２            ＲＯＭ
８８４            ＲＡＭ
８８６            メモリ
８８８            クロック
【図１】
2004502354.tif 000003
【図２】
2004502354.tif 000004
2004502354.tif 000005
2004502354.tif 000006
【図３】
2004502354.tif 000007
【図４】
2004502354.tif 000008
【図５】
2004502354.tif 000009
【図６】
2004502354.tif 000010
【図７】
2004502354.tif 000011
【図８】
2004502354.tif 000012
【図９】
2004502354.tif 000013
【国際公開パンフレット】
2004502354.tif 000014
2004502354.tif 000015
2004502354.tif 000016
2004502354.tif 000017
2004502354.tif 000018
2004502354.tif 000019
2004502354.tif 000020
2004502354.tif 000021
2004502354.tif 000022
2004502354.tif 000023
2004502354.tif 000024
2004502354.tif 000025
2004502354.tif 000026
2004502354.tif 000027
2004502354.tif 000028
2004502354.tif 000029
2004502354.tif 000030
2004502354.tif 000031
2004502354.tif 000032
2004502354.tif 000033
2004502354.tif 000034
2004502354.tif 000035
2004502354.tif 000036
2004502354.tif 000037
2004502354.tif 000038
2004502354.tif 000039
2004502354.tif 000040
2004502354.tif 000041
2004502354.tif 000042
2004502354.tif 000043
2004502354.tif 000044
2004502354.tif 000045
2004502354.tif 000046
2004502354.tif 000047
2004502354.tif 000048
2004502354.tif 000049
2004502354.tif 000050
2004502354.tif 000051
2004502354.tif 000052
2004502354.tif 000053
2004502354.tif 000054
2004502354.tif 000055
2004502354.tif 000056
2004502354.tif 000057
2004502354.tif 000058
2004502354.tif 000059
2004502354.tif 000060
2004502354.tif 000061
2004502354.tif 000062
2004502354.tif 000063
2004502354.tif 000064
2004502354.tif 000065
2004502354.tif 000066
2004502354.tif 000067
2004502354.tif 000068
【国際調査報告】
2004502354.tif 000069